【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
真性品画像のうちの部分画像と中心の輝度が高く，中心から離れるにしたがって同心円状に輝度が次第に低下している，あるいは中心の輝度が最も低く，中心から離れるにしたがって同心円状に輝度が次第に上昇しているテンプレート画像の相関値を算出する第１の相関値算出手段，上記第１の相関値算出手段によって算出された相関値が第１の閾値以上である上記真性品画像の複数の特徴点を抽出する真性品特徴点抽出手段，および上記真性品特徴点抽出手段によって抽出された上記真性品画像の複数の特徴点を含む真性品識別データを記憶する真性品識別データ記憶手段を備える真性品特徴点登録装置と，
真贋判定品画像のうちの部分画像と上記テンプレート画像の相関値を算出する第２の相関値算出手段，上記第２の相関値算出手段によって算出された相関値が第２の閾値以上である上記真贋判定品画像の複数の特徴点を抽出する真贋判定品特徴点抽出手段，および上記真贋判定品特徴点抽出手段によって抽出された真贋判定品画像の複数の特徴点の幾何学的特性と，上記真性品特徴点登録装置の上記真性品識別データ記憶手段に記憶されている真性品画像の複数の特徴点の幾何学的特性とを用いて，上記真贋判定品画像と上記真性品画像の類似度を算出する類似度算出手段を備える照合判定装置と，
を備える真贋判定システム。
【請求項２】
上記真性品特徴点登録装置が備える上記第１の相関値算出手段は，上記真性品画像に上記テンプレート画像をスキャンし，上記真性品画像における上記テンプレート画像の位置に応じた複数の相関値を算出するものであり，
上記真性品特徴点登録装置はさらに，
上記複数の相関値を，スキャンされる上記テンプレート画像の位置に応じて配列した相関値二次元配列データを作成する手段，
上記相関値二次元配列データにおける相関値を輝度値として用いた相関値画像データによって表される相関値画像に上記テンプレート画像をスキャンし，上記相関値画像における上記テンプレート画像の位置に応じた複数の相関値を算出する第３の相関値算出手段を備え，
上記真性品特徴点抽出手段は，
上記第１の相関値算出手段によって算出される相関値に基づく真性品画像の特徴点の抽出に代えて，上記第３の相関値算出手段によって算出される相関値に基づいて上記真性品画像の特徴点を抽出する，
請求項１に記載の真贋判定システム。
【請求項３】
上記照合判定装置が備える第２の相関値算出手段は，上記真贋判定品画像に上記テンプレート画像をスキャンし，上記真贋判定品画像における上記テンプレート画像の位置に応じて複数の相関値を算出するものであり，
上記照合判定装置はさらに，
上記複数の相関値を，スキャンされる上記テンプレート画像の位置に応じて配列した相関値二次元配列データを作成する手段，
上記相関値二次元配列データにおける相関値を輝度値として用いた相関値画像データによって表される相関値画像に上記テンプレート画像をスキャンし，上記相関値画像における上記テンプレート画像の位置に応じた複数の相関値を算出する第４の相関値算出手段を備え，
上記真贋判定品特徴点抽出手段は，
上記第２の相関値算出手段によって算出される相関値に基づく真贋判定品画像の特徴点の抽出に代えて，上記第４の相関値算出手段によって算出される相関値に基づいて上記真贋判定品画像の特徴点を抽出する，
請求項２に記載の真贋判定システム。
【請求項４】
上記相関値二次元配列データの作成，上記相関値画像データの生成および相関値画像とテンプレート画像とを用いた相関値の算出を，複数回繰返す繰返し制御手段をさらに備えている，
請求項２または３に記載の真贋判定システム。
【請求項５】
上記真性品特徴点登録装置の上記真性品識別データ記憶手段に記憶される真性品識別データが，上記真性品画像を表すデータ，または上記真性品画像の複数の特徴点のそれぞれを含む上記真性品画像のうちの一部の複数の部分画像を表すデータを含む，
請求項１に記載の真贋判定システム。
【請求項６】
上記照合判定装置は，
上記類似度算出手段によって算出される類似度が第３の閾値以上である場合に，上記真性品画像のうちの部分画像と上記真贋判定品画像のうちの部分画像の相関値を算出する第５の相関値算出手段を備える，
請求項５に記載の真贋判定システム。
【請求項７】
上記照合判定装置が備える上記第５の相関値算出手段は，
上記真性品画像に相関値算出領域をスキャンし，かつ上記真贋判定品画像においても相関値算出領域をスキャンし，上記相関値算出領域内の上記真性品画像と上記真贋判定品画像の対応する位置の部分画像同士の相関値を算出するものである，
請求項６に記載の真贋判定システム。
【請求項８】
上記照合判定装置が備える上記第５の相関値算出手段は，
上記真性品画像についての上記真性品識別データに含まれる上記真性品画像の複数の特徴点のそれぞれを含む複数の部分画像と，これに対応する位置の上記真贋判定品画像の部分画像同士の相関値を算出するものである，
請求項６に記載の真贋判定システム。
【請求項９】
上記照合判定装置は，
上記真贋判定品特徴点抽出手段によって抽出された真贋判定品画像の複数の特徴点と，上記真性品特徴点登録装置の上記真性品識別データ記憶手段に記憶されている真性品画像の複数の特徴点とに基づいて算出される，上記真性品画像と上記真贋判定品画像の相対的なズレを解消するための位置合わせパラメータにしたがって，上記真贋判定品画像と上記真性品画像を位置合わせする位置合わせ手段を備えている，
請求項６に記載の真贋判定システム。
【請求項１０】
複数の対象画像のそれぞれについて，対象画像のうちの部分画像と中心の輝度が高く，中心から離れるにしたがって同心円状に輝度が次第に低下している，あるいは中心の輝度が最も低く，中心から離れるにしたがって同心円状に輝度が次第に上昇しているテンプレート画像の相関値を算出する第１の相関値算出手段，
上記第１の相関値算出手段によって算出された相関値が第１の閾値以上である上記対象画像の特徴点を抽出する特徴点抽出手段，および
上記特徴点抽出手段によって抽出された上記対象画像の特徴点を含む対象画像識別データを，上記複数の対象画像のそれぞれについて記憶する識別データ記憶手段を備える，
特徴点登録装置。
【請求項１１】
上記第１の相関値算出手段は，上記対象画像に上記テンプレート画像をスキャンし，上記対象画像における上記テンプレート画像の位置に応じた複数の相関値を算出するものであり，
上記特徴点登録装置はさらに，
上記複数の相関値を，スキャンされる上記テンプレート画像の位置に応じて配列した相関値二次元配列データを生成する手段，
上記相関値二次元配列データにおける相関値を輝度値として用いた相関値画像データによって表される相関値画像に上記テンプレート画像をスキャンし，上記相関値画像における上記テンプレート画像の位置に応じた複数の相関値を算出する第２の相関値算出手段を備え，
上記特徴点抽出手段は，
上記第１の相関値算出手段によって算出される相関値に基づく対象画像の特徴点の抽出に代えて，上記第２の相関値算出手段によって算出される相関値に基づいて上記対象画像の特徴点を抽出する，
請求項１０に記載の特徴点登録装置。
【請求項１２】
複数の対象画像のそれぞれについて，対象画像のうちの部分画像と中心の輝度が高く，中心から離れるにしたがって同心円状に輝度が次第に低下している，あるいは中心の輝度が最も低く，中心から離れるにしたがって同心円状に輝度が次第に上昇しているテンプレート画像の相関値を，第１の相関値算出手段によって算出し，
算出した相関値が第１の閾値以上である上記対象画像の特徴点を，特徴点抽出手段によって抽出し，
上記複数の対象画像のそれぞれについて抽出した上記対象画像の特徴点を含む対象画像識別データを，識別データ記憶手段に記憶する，
特徴点登録装置の動作制御方法。
【請求項１３】
複数の対象画像のそれぞれについて，対象画像の複数の特徴点を含む対象画像識別データを記憶する対象画像識別データ記憶手段，
真贋判定品画像のうちの部分画像と中心の輝度が高く，中心から離れるにしたがって同心円状に輝度が次第に低下している，あるいは中心の輝度が最も低く，中心から離れるにしたがって同心円状に輝度が次第に上昇しているテンプレート画像との相関値を算出する相関値算出手段，
上記相関値算出手段によって算出された相関値が閾値以上である上記真贋判定品画像の複数の特徴点を抽出する特徴点抽出手段，および
上記特徴点抽出手段によって抽出された真贋判定品画像の複数の特徴点の幾何学的特性と，上記対象画像識別データ記憶手段に記憶されている対象画像の複数の特徴点の幾何学的特性とを用いて，上記真贋判定品画像と複数の上記対象画像のそれぞれとの類似度を算出する類似度算出手段，
備える照合判定装置。
【請求項１４】
複数の対象画像のそれぞれについて，対象画像の複数の特徴点を含む対象画像識別データを記憶する対象画像識別データ記憶手段を備える照合判定装置の動作を制御する方法であって，
真贋判定品画像のうちの部分画像と中心の輝度が高く，中心から離れるにしたがって同心円状に輝度が次第に低下している，あるいは中心の輝度が最も低く，中心から離れるにしたがって同心円状に輝度が次第に上昇しているテンプレート画像の相関値を，相関値算出手段によって算出し，
算出した相関値が閾値以上である上記真贋判定品画像の複数の特徴点を，特徴点抽出手段によって抽出し，
抽出した真贋判定品画像の複数の特徴点の幾何学的特性と，上記対象画像識別データ記憶手段に記憶されている対象画像の複数の特徴点の幾何学的特性とを用いて，上記真贋判定品画像と複数の上記対象画像のそれぞれとの類似度を，類似度算出手段によって算出する，
照合判定装置の動作制御方法。
【請求項１５】
上記真正品画像は，錠剤についての画像である，請求項１から９のうち，いずれか一項に記載の真贋判定システム。
【請求項１６】
上記対象画像は，錠剤についての画像である，請求項10または11に記載の特徴点登録装置。
【請求項１７】
上記対象画像は，錠剤についての画像である，請求項12に記載の特徴点登録装置の動作制御方法。
【請求項１８】
上記真贋判定品画像は，錠剤についての画像である，請求項13に記載の照合判定装置。
【請求項１９】
上記真贋判定品画像は，錠剤についての画像である，請求項14に記載の照合判定装置の動作制御方法。